(57)【要約】【課題】  パチンコ機の供給皿及びパチンコ機外部の貯留皿のそれぞれが遊技球で一杯になった場合でも、中断せずに遊技を行えるようにする。【解決手段】  供給皿２０の第２受容面２０ｂに設けられた第１開口３１に連通する第１排出通路３５の下流側に、第１排出通路３５を遮断する第３シャッタ４９を設ける。賞球として払い出される遊技球３０によって供給皿２０が一杯になると、遊技者は供給皿用排出ボタンを操作する。この供給皿排出ボタンを操作すると、第１シャッタ４７が退避して遊技球３０が第１開口３１から第１排出通路３５へと流下する。第１排出通路３５の下流側は第３シャッタ４９によって遮断されているので、第１排出通路３５を流下する遊技球３０は、第１排出通路３５、第２排出通路４３の内部に貯留されていく。【選択図】        図８
2005224443.tif 000002
【特許請求の範囲】
【請求項１】
遊技に用いられる遊技媒体を受容する受け部と、
前記受け部に受容された遊技媒体を発射装置に案内する傾斜通路と、
前記受け部に設けられた第１排出用開口と、
前記傾斜通路の下流側に設けられた第２排出用開口と、
前記第１排出用開口に連なるように設けられ、前記第１排出用開口からの遊技媒体を外部へと排出する第１排出用通路と、
前記第２排出用開口に連なるように設けられ、前記第２排出用開口からの遊技媒体を外部へと排出する第２排出用通路と、
前記第１排出用開口を遮蔽して、前記遊技媒体を前記受け部に受容可能とする第１シャッタと、
前記第２排出用開口を遮蔽して、前記傾斜通路を通過する遊技媒体を前記発射装置に案内する第２シャッタと、を備えた遊技機であって、
前記第１排出用通路の下流側に、前記第１排出用通路を遮断する位置と、該位置から退避する位置との間で移動する第３シャッタを設けたことを特徴とする遊技機。
【請求項２】
前記第２排出用通路の下流側端部は第１排出用通路に合流するとともに、前記第３シャッタは、前記第１排出用通路と第２排出用通路との合流部から第１排出用通路の下流側端部に設けられた排出口までの間に設けられることを特徴とする請求項１記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。このパチンコ機には、遊技媒体となるパチンコ球を受容する供給皿が設けられている。この供給皿には、パチンコ機内部に組み込まれた発射装置へとパチンコ球を導く通路が設けられており、供給皿に受容されたパチンコ球は、この通路を介して自動的に発射装置へと案内される。なお、発射装置へと案内されたパチンコ球は、遊技者による操作ハンドルの操作により作動する発射装置によって遊技領域の上方へと打ち出された後に、遊技領域に設けられた障害釘によって弾かれながら遊技領域内を流下していく。そして、遊技領域に設けられた入賞チャッカーや、始動チャッカー等に入賞した場合に、遊技者に対する賞球の払い出しが供給皿に行われる。
【０００３】
例えば始動チャッカーに入賞すると、「大当たり」状態へ移行するか否かの抽選が行われ、この抽選に当選すると「大当たり」状態へと移行するようになっている。この「大当たり」状態では、通常では閉じているアタッカが開き、所定個数のパチンコ球が入賞するか所定時間経過するかのいずれかの条件が満たされた場合に一旦閉じる動作を行うようになっている。「大当たり」状態では、アタッカは、上記動作を１回として予め設定された回数を上限として所定回数の動作が行われる。これにより、遊技球がアタッカに入賞しやすくなるので、「大当たり」状態に移行すると、より多くの賞球が払い出されることになる。
【発明の開示】
【発明が解決しようとする課題】
【０００４】
上記「大当たり」状態での遊技を行うと、上述したアタッカへの入賞により払い出される遊技球によって供給皿が一杯になってしまう。このため、遊技者は、遊技を行いながら、パチンコ機に設けられた操作部を操作して、供給皿に払い出された遊技球をパチンコ機に外部に置いた貯留箱（所謂、ドル箱）に排出することになる。さらに、供給皿から貯留箱への排出時に排出された遊技球で貯留箱が一杯になってしまった場合には、新しい貯留箱へと排出する必要がある。しかしながら、遊技球で一杯になった貯留箱を新しい貯留箱に置き換える場合には、遊技場の店員を呼んで新しい貯留箱に交換するか、遊技を一旦中止する必要がある。このため、例えばアタッカが開いている場合に貯留箱の置き換えを行う作業に手間取ると、アタッカが閉じてしまい、アタッカが動作する回数が上限となる回数まで到達せずに、「大当たり」状態の遊技が終了してしまうので、遊技者に対して不利益感を与えてしまうことになる。
【０００５】
本発明は、パチンコ機の供給皿と、パチンコ機の外部に置かれる貯留皿とのそれぞれに遊技球が一杯になった場合でも、中断せずに遊技を行えるようにすることができるようにした遊技機を提供することを目的とする。
【課題を解決するための手段】
【０００６】
本発明の遊技機は、遊技に用いられる遊技媒体を受容する受け部と、前記受け部に受容された遊技媒体を発射装置に案内する傾斜通路と、前記受け部に設けられた第１排出用開口と、前記傾斜通路の下流側に設けられた第２排出用開口と、前記第１排出用開口に連なるように設けられ、前記第１排出用開口からの遊技媒体を外部へと排出する第１排出用通路と、前記第２排出用開口に連なるように設けられ、前記第２排出用開口からの遊技媒体を外部へと排出する第２排出用通路と、前記第１排出用開口を遮蔽して、前記遊技媒体を前記受け部に受容可能とする第１シャッタと、前記第２排出用開口を遮蔽して、前記傾斜通路を通過する遊技媒体を前記発射装置に案内する第２シャッタと、を備えた遊技機であって、前記第１排出用通路の下流側に、前記第１排出用通路を遮断する位置と、該位置から退避する位置との間で移動する第３シャッタを設けたことを特徴とする。なお、遊技媒体とは、例えば遊技球等が挙げられる。また、遊技機がパチンコ機からなる場合、受け部とは、例えば遊技球が供給される供給皿等が挙げられる。
【０００７】
また、前記第２排出用通路の下流側端部は第１排出用通路に合流するとともに、前記第３シャッタは、前記第１排出用通路と第２排出用通路との合流部から第１排出用通路の下流側端部に設けられた排出口までの間に設けられることが好ましい。
【発明の効果】
【０００８】
本発明の遊技機によれば、遊技に用いられる遊技媒体を受容する受け部と、前記受け部に受容された遊技媒体を発射装置に案内する傾斜通路と、前記受け部に設けられた第１排出用開口と、前記傾斜通路の下流側に設けられた第２排出用開口と、前記第１排出用開口に連なるように設けられ、前記第１排出用開口からの遊技媒体を外部へと排出する第１排出用通路と、前記第２排出用開口に連なるように設けられ、前記第２排出用開口からの遊技媒体を外部へと排出する第２排出用通路と、前記第１排出用開口を遮蔽して、前記遊技媒体を前記受け部に受容可能とする第１シャッタと、前記第２排出用開口を遮蔽して、前記傾斜通路を通過する遊技媒体を前記発射装置に案内する第２シャッタと、を備えた遊技機であって、前記第１排出用通路の下流側に、前記第１排出用通路を遮断する位置と、該位置から退避する位置との間で移動する第３シャッタを設けたから、遊技機に設けられた受け部と、パチンコ機の外部に置かれた貯留皿とが遊技媒体で一杯となる場合でも、受け部に貯留される遊技媒体を遊技機の内部に一時的に貯留させることで、遊技を継続して行うことができる。
【０００９】
また、前記第２排出用通路の下流側端部は第１排出用通路に合流するとともに、前記第３シャッタは、前記第１排出用通路と第２排出用通路との合流部から第１排出用通路の下流側端部に設けられた排出口までの間に設けられるので、例えば「大当たり」状態の遊技で、多くの遊技媒体が払い出される場合でも、より多くの遊技球を遊技球の内部に移動させることができる。
【発明を実施するための最良の形態】
【００１０】
図１及び図２に示すように、パチンコ機２は、基体となる本体基部３に上部扉４及び下部扉５からなる２枚の前面扉６が本体基部３に対して回動自在となるように、図示しないヒンジ部を介して組み付けられる。上部扉４の中央には開口４ａが設けられており、この開口４ａは上部扉４の裏側に取り付けられるガラス板７により遮蔽されている。なお、上部扉４は閉じている状態では、遊技の際に遊技領域１０を流下する遊技球（遊技媒体）３０（図４参照）や、遊技領域１０に設けられた構造物は、上記開口４ａを遮蔽するガラス板７を介して視認される。一方、上部扉４が開いている状態では遊技領域１０が露呈され、例えば遊技領域１０に設けられる障害釘の調整や、球詰まりの際のメンテナンス等が行われる。なお、符号８は、本体基部３を遊技場等に固定するための固定枠、符号９は、遊技球３０を遊技領域１０に向けて打ち出す発射装置である。
【００１１】
遊技領域１０には、図示しない障害釘、風車及び通過ゲート１１等が設けられる他に、始動チャッカー１３、入賞チャッカー１４、アタッカ１５等の入賞領域を有する構造物が設けられている。なお、これらについては公知であるので説明は省略する。また、遊技領域１０の略中央にはセンター役物１６と呼ばれる構造物が設けられ、そのほぼ中央には図柄表示装置１７が設けられる。なお、遊技領域１０を流下する遊技球３０（図４参照）は、上記障害釘や風車等により弾かれながら流下し、上記入賞口のいずれかへと入賞するか、入賞せずにアウト口１８へと導かれる。
【００１２】
図３に示すように、下部扉５には、遊技球３０を供給する供給皿（受け部）２０、発射装置９における遊技球３０の打ち出し強さを調節する操作ハンドル２１が設けられる他に、供給皿２０に受容された遊技球３０を排出する際に操作される供給皿用排出ボタン（操作部）２５、通路用排出ボタン２６、貯留球排出ボタン２７が設けられている。供給皿２０には、遊技を開始する際に遊技球３０が供給される他に、遊技領域１０を流下する遊技球５１が上記入賞口のいずれかに入賞したことを受けて払い出される賞球としての遊技球３０が受容される。なお、符号２８は払出し口であり、この払出し口２０ｄを介して、賞球としての遊技球３０が供給皿２０に払い出される。
【００１３】
供給皿用排出ボタン２５は、供給皿２０の第２受容面２０ｂに受容された遊技球３０を、第１排出通路３５（図５参照）へと流下させる際に操作されるものである。この供給皿用排出ボタン２５が操作されると、第１シャッタ４７（図５参照）が第１開口（第１排出用開口）３１を遮蔽する位置（図５中実線）から退避し、供給皿２０の第２受容面２０ａに受容されている遊技球３０が、第１排出通路（第１排出用通路）３５へと流下する。
【００１４】
通路用排出ボタン２６は、誘導通路４０の内部に案内されている遊技球３０を第２排出通路４３へと送り出す際に操作されるものである。この通路用排出ボタン２６が操作されると、第２シャッタ４４（図５参照）が第２開口（第２排出用開口）４２を遮蔽する位置（図５中実線）から退避し、誘導通路４０の内部に案内された遊技球３０が１球づつ第２排出通路（第２排出用通路）４３へと送り出される。
【００１５】
貯留球排出ボタン２７は、第１排出通路３５、第２排出通路４３（図５参照）に貯留された遊技球３０を排出口３６から外部へと排出する際に操作される。この貯留球排出ボタン２７が操作されると、第３シャッタ４９（図５参照）が第１排出通路３５を遮断する位置（図中実線）から退避し、第１排出通路３５及び第２排出通路４３の内部に一時貯留されていた遊技球３０が排出口３６から貯留箱７０（図１参照）へ排出されることになる。
【００１６】
供給皿２０の底面は、その中央に向けて傾斜する２つの受容面（以下では、第１受容面２０ａ，第２受容面２０ｂとする）を備えている。図４及び図５に示すように、払出し口２８から払い出された遊技球３０は、第１受容面２０ａに払出された後に、この第１受容面２０ａ上を供給皿２０の中央に向かって転動する。供給皿２０の中央に向かって転動する遊技球３０は、第１受容面２０ａ上から第２受容面２０ｂ上へと転動し、第２受容面２０ｂにて受容される。なお、符号２０ｃは第１受容面２０ａと、第２受容面２０ｂとの間に設けられた段差であり、この段差２０ｃを設けることで、第２受容面２０ｂにて受容された遊技球３０が第１受容面２０ａへと逆流しないようになっている。
【００１７】
第２受容面２０ｂのほぼ中央には、開口（以下、第１開口とする）３１が設けられている。図５に示すように、この第１開口３１は、第１排出通路３５の一端と連通されており、供給皿２０に受容された遊技球３０は、第１開口３１から第１排出通路３５に転動した後に、排出口３６から例えばパチンコ機の下方に置かれた貯留箱７０に排出される。なお、この第１開口３１は、後述する第１シャッタ４５によって遮蔽される。この第１排出通路３５には、第２排出通路４３が合流するとともに、第１排出通路４０と第２排出通路４３との合流部４５よりも下流側となる箇所には第３シャッタ４７が設けられ、この第３シャッタ４７によって、第１排出通路３５の下流側が遮断される。
【００１８】
第２受容面２０ｂは、誘導通路（傾斜通路）４０と連通している。誘導通路４０は、傾斜通路から構成され、供給皿２０に受容された遊技球３０を球送り装置４１に向けて誘導する。この誘導通路４０は、その幅をＴとし、且つ遊技球３０の直径をＳとすると、Ｓ＜Ｔ＜２Ｓとなるように設けられており、第２受容面２０ｂにて受容された遊技球３０は、一列に並んだ状態で誘導通路４０の内部を転動する。
【００１９】
この誘導通路４０の下流端の底面には、開口（以下、第２開口とする）４２が設けられている。この第２開口４２は、下流側の端部が第１排出通路３５と合流する第２排出通路４３の上流側の端部と連通している。なお、第２開口４２は、後述する第２シャッタ４８によって遮蔽される。また、誘導通路４０の下流端の側面には、遊技球３０を球送り装置４１へ送り出す開口４４が設けられる。上述した第２開口４２は第２シャッタ４８によって遮蔽されており、誘導通路４０によって案内された遊技球３０は、開口４４を通過して球送り装置４１へと案内される。なお、図５中に示す符号４５は、第１排出通路３５と第２排出通路４３との合流部である。
【００２０】
第１シャッタ４７は、第１開口３１を遮蔽するために設けられる。この第１シャッタ４７は、供給皿用排出ボタン２５の操作によって、図５中実線に示す第１開口３１を遮蔽する位置から図５中二点鎖線に示す位置まで退避する。これにより、供給皿２０の第２受容面２０ｂに受容された遊技球３０が、第１開口３１を介して第１排出通路３５の内部へと流下していく。
【００２１】
第２シャッタ４８は、第２開口４２を遮蔽するために設けられる。この第２シャッタ４８は、通路用排出ボタン２６の操作によって、図５中実線に示す第２開口４２を遮蔽する位置から図５中二点鎖線に示す位置まで退避する。これにより、第２シャッタ４８によって第２開口４６が遮蔽されているときには、誘導通路４０の内部に案内された遊技球３０は、球送り装置４１に向けて送り出され、第２シャッタ４８による第２開口４２の遮蔽が解除されると、誘導通路４０の内部に案内された遊技球３０は、第２排出通路４３の内部に流下する。その後、第２排出通路４３の内部を転動した後に、第１排出通路３５へと導かれ、排出口３６から貯留箱７０へと排出される。
【００２２】
第３シャッタ４９は、第１排出通路３５の下流を遮断するために設けられる。この第３シャッタ４９は、貯留球排出ボタン２７の操作によって、図５中実線に示す第１排出通路３５を遮断する位置から図５中二点鎖線に示す位置まで退避する。なお、第３シャッタ４９によって第１排出通路３５が遮断されると、第１排出通路３５における第１シャッタ４７と、第３シャッタ４９との間の空間Ｘ、及び第２排出通路４３における第２シャッタ４８と、第３シャッタ４９との間の空間Ｙとが遊技球３０を一時的に貯留する空間となる。
【００２３】
図６は、第１〜第３シャッタ４７〜４９の駆動制御を行うための電気的構成の一例を示す機能ブロック図である。供給皿用排出ボタン２５の内部には第１スイッチセンサ５０が、通路用排出ボタン２６の内部には第２スイッチセンサ５１が、貯留球排出ボタン２７の内部には第３スイッチセンサ５２がそれぞれ設けられている。例えば供給皿用排出ボタン２５が操作されると、第１スイッチセンサ５０がオンとなり、その出力信号が制御装置５５に向けて出力される。制御装置５５は、スイッチセンサからの出力信号を受けると、ドライバ５６を介して対応するモータを駆動制御する。
【００２４】
また、制御装置５５は、操作ボタンのいずれかが操作されてから所定時間経過した場合に、駆動制御されたモータを逆回転させて移動したシャッタをもとの位置まで移動させる。なお、所定時間とは、例えば供給皿２０に受容された全ての遊技球３０が、第１開口３１から第１排出通路３５を介して、排出口３６から外部へ排出されるまでの経過時間とする。なお、上述した時間が経過する前に、第１シャッタ４７による第１開口３１の遮蔽、第２シャッタ４８による第２開口４２の遮蔽、或いは第３シャッタ４９による第１排出通路３５の遮断を行う場合には、対応する操作ボタンを再度操作することで可能となる。
【００２５】
第１モータ６０は、例えばステッピングモータから構成され、第１シャッタ４７を図５中実線で示す位置と、図５中二点差線で示す位置との間で移動させるために設けられる。なお、詳細は図示しないが、第１モータ６０の駆動軸は第１シャッタ４７に固着されている。例えば供給皿用排出ボタン２５を１回操作すると、第１モータ６０が駆動して第１シャッタ４７を図５中実線で示す位置から、図５中二点差線で示す位置まで回動させる。そして、供給皿用排出ボタン２５が再度操作されると、第１モータ６０が逆回転し、第１シャッタ４７を図５中二点差線で示す位置から、図５中実線で示す位置まで移動させる。これにより、供給皿用排出ボタン２５を１回操作すると、第１開口３１が開口し、供給皿用排出ボタン２５を再度操作すると、第１シャッタ４７によって第１開口３１が遮蔽される。
【００２６】
第２モータ６１は、ステッピングモータが用いられ、第２シャッタ４８を図５中実線で示す位置と、図５中二点差線で示す位置との間で移動させるために設けられる。なお、詳細は図示しないが、第２モータ６１の駆動軸は第２シャッタ４８に固着されており、通路用排出ボタン２６が１回操作されると、第２モータ６１が駆動して第２シャッタ４８を図５中実線で示す位置から、図５中二点差線で示す位置まで移動させる。そして、通路用排出ボタン２６が再度操作されると、第２モータ６１が逆回転し、第２シャッタ４８を図５中二点差線で示す位置から、図５中実線で示す位置まで移動させる。これにより、通路用排出ボタン２６を１回操作すると第２開口４２が開口し、通路用排出ボタン２６を再度操作すると、第２シャッタ４８によって第２開口４２が遮蔽される。
【００２７】
第３モータ６２は、ステッピングモータから構成され、第３シャッタ４９を図５中実線で示す位置と、図５中二点差線で示す位置との間で移動させるために設けられる。なお、詳細は図示しないが、第３モータ６２の駆動軸には第３シャッタ４９に固着されている。例えば貯留球排出ボタン２７が１回操作されると、第３モータ６２が駆動して第３シャッタ４９を図５中実線で示す位置から、図５中二点差線で示す位置まで移動させる。そして、貯留球排出ボタン２７が再度操作されると、第３モータ６２が逆回転し、第３シャッタ４９を図５中二点差線で示す位置から、図５中実線で示す位置まで移動させる。これにより、貯留球排出ボタン２７を１回操作すると、第３シャッタ４９による第１排出通路３５の遮断が解消され、貯留球排出ボタン２７を再度操作すると、第３シャッタ４９によって第１排出通路３５が遮断される。
【００２８】
次に、本実施形態のパチンコ機の作用について説明する。図４に示すように、遊技を行う際に、貸し出された遊技球３０を例えば供給皿２０の第１受容面２０ａから供給すると、第１受容面２０ａに受容された遊技球３０が第１受容面２０ａ上を転動する。第１受容面２０ａは、第２受容面２０ｂに向けて傾斜しているから、遊技球３０は第２受容面２０ｂに向けて第１受容面２０ａ上を転動する。そして、第１受容面２０ａと第２受容面２０ｂとの境界まで転動すると、その境界に設けられた段差２０ｃから第２受容面２０ｂに落下する。
【００２９】
第２受容面２０ｂに遊技球３０が滞留していないときには、遊技球３０は、第２受容面２０ｂに連なって設けられた誘導通路４０に向けて転動し、誘導通路４０の上流側から内部に導かれる。誘導通路４０の下流側に設けられた第２開口４２は、第２シャッタ４８によって遮蔽されているから、誘導通路４０の下流側まで到達した遊技球３０は、発射装置９へと遊技球３０を１球毎に送り出す球送り装置４１に連通する開口４４へと案内される。誘導通路４０は、下流側に向かうにつれて遊技球３０の直径Ｓの２倍以下の幅Ｔ（Ｓ＜Ｔ＜２Ｓ）となるから、誘導通路４０の下流側に導かれる遊技球３０は、１球ずつ整列した略ライン状に並んで誘導通路４０の内部を通過する。供給皿２０に遊技球３０を供給した後に、遊技者が操作ハンドル２１を操作すると、発射装置９が作動して遊技球３０を１球毎に遊技領域１０に向けて打ち出した後に、球送り装置４１が作動して、誘導通路４０の内部に整列している１個の遊技球３０を発射装置９に送り込む。
【００３０】
発射装置９によって打ち出された遊技球３０が遊技領域１０を不規則に流下していく過程で、入賞チャッカー１４に入賞すると、図示しない検出センサによって遊技球３０の入賞（通過）が検出され、内部に組み込まれた払出し装置が作動する。これにより、賞球用にパチンコ機２の内部に貯留されていた遊技球３０が、払出し口２８から所定個数払い出される。図４に示すように、払出し口２８から払い出された遊技球３０は、第１受容面２０ａ上から第２受容面２０ｂに向けて転動するか、第１受容面２０ａで滞留して受容される。
【００３１】
一方、遊技領域１０を不規則に流下する遊技球３０が始動チャッカー１３に入賞すると、「大当たり」状態へと移行するか否かの移行抽選が行われる。そして、図柄表示装置１７では、上記移行抽選の結果に基づいて決定された図柄の変動パターンに基づいた図柄の変動表示を行う。そして、変動パターンが終了すると、予め内部で決定された図柄の停止表示を行って、遊技者に上記移行抽選の結果を報知する。なお、移行抽選の結果が当たりとなる場合には、図柄表示装置１７では例えば「７−７−７」のように同一の図柄が停止表示され、「大当たり」状態へと移行する。
【００３２】
「大当たり」状態へ移行すると板状の扉となるアタッカ１５が開口し、遊技領域１０を不規則に流下する遊技球３０がアタッカ１５に入賞しやすくなる。このアタッカ１５は所定個数の遊技球３０が入賞するか、所定時間経過した場合に一旦閉じる。一回のアタッカの開口動作時に、アタッカ１５の内部に設けられた図示しないＶゾーン（連続役物作動口）に遊技球３０が入賞すると、アタッカ１５が再び開口するようになっている。そして、アタッカ１５による開口動作が、所定回数に到達した時点で「大当たり」状態が終了する。この「大当たり」状態の遊技を行うと、１つの入賞に対する賞球数が多く、且つ所定回数の入賞となるまで入賞しやすくなっているため、その遊技の途中で、供給皿２０には、賞球として払い出された遊技球３０で一杯となる。
【００３３】
供給皿２０が遊技球３０で一杯になると、遊技者は供給皿用排出ボタン２５を操作して、供給皿２０に受容された遊技球３０の抜き出しを行う。図７に示すように、供給皿用排出ボタン２５が操作されると、第１モータ６０が駆動し、第１シャッタ４７が第１開口３１を遮蔽する位置（図５中実線）から退避する。これにより、供給皿２０の第２受容面２０ｂに受容された遊技球３０は、第１開口３１から第１排出通路３５に向けて流下していく。供給皿用排出ボタン２５の操作と同時に、貯留球排出ボタン２７の操作を行った場合には、第３モータ６２が駆動して、第３シャッタ４９が第１排出通路３５を遮断する位置から退避する。これにより、第１排出通路３５を流下する遊技球３０は、そのまま排出口３６からパチンコ機２の下部に置かれた貯留箱７０へと払い出される。
【００３４】
この「大当たり」状態の遊技で、供給皿２０に受容された遊技球３０の抜き出しを行った後に、貯留箱７０だけでなく、供給皿２０も遊技球３０で一杯になる場合がある。この場合、遊技者は供給皿用排出ボタン２５だけを操作する。図８に示すように、供給皿用排出ボタン２５を操作すると、第１モータ６０が駆動によって第１シャッタ４８が第１シャッタを遮蔽する位置から退避する。これにより、供給皿２０に受容された遊技球３０が第１排出通路３５へと流下していく。
【００３５】
この場合、貯留球排出ボタン２７の操作を行っていないから、第１排出通路３５は第３シャッタ４９によって遮断されている。これにより、第１排出通路３５の内部を流下する遊技球３０は、第１排出通路３５の内部（空間Ｘ）にその下流側から貯留されていく。第１排出通路３５に設けられた第３シャッタ４９の上流側には、第２排出通路４３が第１排出通路３５に合流しており、供給皿２０に受容された遊技球３０の数が多い場合には、第１排出通路３５の内部を流下する遊技球３０は、第１排出通路３５だけでなく、第２排出通路４３の内部（空間Ｙ）にも貯留されていく。
【００３６】
第１排出通路３５の内部（空間Ｘ）及び第２排出通路４３の内部（空間Ｙ）に貯留された遊技球３０が一杯になると、遊技者は、供給皿用排出ボタン２５を操作する。これにより、第１シャッタ４７が第１開口３１を遮蔽するように移動する。なお、この場合、制御装置５５によって予め設定された所定時間が経過されたことが検知されると、遊技者が再度供給皿用排出ボタン２５を操作しなくても自動的に第１シャッタ４７が移動し、第１開口３１を遮蔽することになる。なお、図９に示すように、貯留箱７０を新しい貯留箱７０にしたときには、貯留球排出ボタン２７を操作することによって、第３シャッタ４９による第１排出通路３５の遮断が解消されるから、第１排出通路３５及び第２排出通路４３に貯留された遊技球３０は、排出口３６から貯留箱７０へと排出される。
【００３７】
このように、「大当たり」状態の遊技で、パチンコ機２の下部に置かれた貯留箱７０が一杯になり、また供給皿２０が払い出される遊技球３０によって一杯となった場合や、供給皿２０に遊技球３０が一杯に受容されているにも関わらず貯留皿７０の準備をしていなかった場合には、供給皿用排出ボタン２５だけを操作して供給皿２０に受容された遊技球３０を第１排出通路３５における第１シャッタ４７と第３シャッタ４９との間の空間Ｘ、及び第２排出通路４３における第２シャッタ４８と第１排出通路３５との合流部４５までの空間Ｙに一時的に遊技球３０を貯留することができる。この場合、例えばパチンコ機２の下部に置かれた貯留箱７０を新しい貯留箱７０に交換する場合には、遊技場の店員を呼ぶだけで済むから「大当たり」状態の遊技を中断せずに遊技を行うことができる。なお、空間Ｘ及び空間Ｙにおいて所定数の遊技球３０を貯留できるように第１排出通路３５と、第２排出通路４３とを形成することで、第３シャッタ４９を第１排出通路３５から退避させたときに排出口３６から排出される遊技球３０の数を概略で計算することができ、上記動作を行う回数によって、貯留箱７０に払い出された遊技球３０の数の目安とすることができる。
【００３８】
なお、遊技を終了して、供給皿２０に受容された遊技球３０を排出する場合には、供給皿用排出ボタン２５、通路排出ボタン２６、貯留用排出ボタン２７の全ての排出ボタンを操作する。図１０に示すように、供給皿用排出ボタン２５、通路排出ボタン２６、貯留用排出ボタン２７の全ての排出ボタンを操作すると、第１シャッタ４７が第１開口３１を遮蔽する位置から、第２シャッタ４８が第２開口４２を遮蔽する位置から、それぞれ退避する。同時に、第３シャッタ４９が、第１排出通路３５を遮断する位置から退避する。これにより、供給皿２０の第２受容面２０ｂに受容された遊技球３０が第１排出通路へと流下し、排出口３６から貯留箱７０へと排出される。また、誘導通路４０の内部に案内されていた遊技球３０が第２排出通路４３，第１排出通路３５を介して排出口３６から貯留箱７０へと排出される。なお、供給皿用排出ボタン２５、通路排出ボタン２６、貯留用排出ボタン２７の全てのボタンが操作され、第１〜第３モータ６０〜６２が駆動してから所定時間が経過すると、第１〜第３モータ６０〜６２が逆回転し、第１シャッタ４７による第１開口３１の遮蔽、第２シャッタ４８による第２開口４２の遮蔽、第３シャッタ４９による第１排出通路３５の遮断が行われる。これにより、他の遊技者が遊技を行った場合に、供給皿２０に払い出される遊技球３０が排出口３６から外部に排出されることがない。
【００３９】
本実施形態では、第１〜第３シャッタを、第１〜第３モータの駆動軸にそれぞれ固着した例を取り上げたが、これに限定する必要はなく、第１〜第３シャッタをモータとギヤ機構とによって移動させたり、ソレノイドを用いてもよい。また、第１〜第３シャッタをモータ等の電気部品を用いて移動させずに、リンク機構等の機構を用いて移動させるようにしてもよい。
【００４０】
本実施形態では、第３シャッタを第１排出通路と第２排出通路との合流部よりも下流側に設けたが、これに限定する必要はなく、例えば、第３シャッタを、第１排出通路において、第１排出通路と第２排出通路との合流部より上流側に配置してもよい。
【００４１】
本実施形態では、第１排出通路の下流部に設けられた第３シャッタの移動を、操作ボタンを操作することによって実行できるようにしたが、これに限定する必要はなく、例えば、排出口の近傍に貯留箱の有無を検出する箱検出センサと、貯留箱に貯留された遊技球の貯留量を検知する貯留量検知センサとを設け、これらセンサの検知信号に基づいて第３シャッタを可動させるようにしてもよい。この場合、例えば、箱検知センサによって貯留箱が検知された場合に、第３シャッタを第１排出通路の内部から退避させることで、第１開口を遮蔽する第１シャッタを移動させるだけで、遊技球の排出を行えるようにする。そして、貯留量検知センサによって、貯留箱に貯留された遊技球の貯留量が所定量を超えた場合（或いは所定量に到達した場合）に、第３シャッタによって第１排出通路を遮断させる。この場合、第１シャッタを移動させた場合には、本実施形態と同様に、第１排出通路、第２排出通路の内部に遊技球が貯留されていく。また、貯留箱の交換を行う場合に、遊技球で一杯になった貯留箱を移動させると、箱検知センサによる検知が行われなくなるので、第３シャッタによる第１排出通路の遮蔽を行っていない場合には、第３シャッタが移動し、第１排出通路の遮蔽が行われる。
【００４２】
また、第１排出通路又は、第２排出通路に貯留された遊技球をパチンコ機の外部から観察できる窓部を下扉に設けてもよい。この場合、遊技を終了したときに、第１排出通路及び第２排出通路に貯留されている遊技球を窓部を介して確認することができるので、第１排出通路及び第２排出通路に貯留されている遊技球を忘れて席を離れることがなくなる。なお、この窓部の大きさは、第１排出通路の一部が観察できる大きさでもよいし、第１排出通路及び第２排出通路の全てを観察できる大きさでもよいものとする。
【図面の簡単な説明】
【００４３】
【図１】本発明を実施したパチンコ機の外観を示す斜視図である。
【図２】前面扉を開けたときの状態を示す斜視図である。
【図３】パチンコ機の供給皿の近傍を示す斜視図である。
【図４】供給皿を示す正面図である。
【図５】第１排出通路及び第２排出通路の構成を示す断面図である。
【図６】第１〜第３シャッタの駆動制御を行うための電気的構成の一例を示す機能ブロック図である。
【図７】第１シャッタが第１開口を遮蔽する位置から退避し、且つ第３シャッタが第１排出通路から退避したときの第１排出通路及び第２排出通路を示す断面図である。
【図８】第１シャッタが第１開口を遮蔽する位置から退避したときの第１排出通路及び第２排出通路を示す断面図である。
【図９】第１排出通路及び第２排出通路に貯留された遊技球を排出したときの第１排出通路及び第２排出通路を示す断面図である。
【図１０】供給皿及び誘導通路にある遊技球を排出するときの第１排出通路及び第２排出通路を示す断面図である。
【符号の説明】
【００４４】
２    パチンコ機
５    下部扉
９    発射装置
２０    供給皿（受け部）
２０ａ    第１受容面
２０ｂ    第２受容面
２５    供給皿用排出ボタン
３０    遊技球（遊技媒体）
３１    第１開口（第１排出用開口）
３５    第１排出通路（第１排出用通路）
４０    誘導通路（傾斜通路）
４２    第２開口（第２排出用開口）
４３    第２排出通路（第２排出用通路）
４５    合流部
４７    第１シャッタ
４８    第２シャッタ
４９    第３シャッタ
【図１】
2005224443.tif 000003
【図２】
2005224443.tif 000004
【図３】
2005224443.tif 000005
【図４】
2005224443.tif 000006
【図５】
2005224443.tif 000007
【図６】
2005224443.tif 000008
【図７】
2005224443.tif 000009
【図８】
2005224443.tif 000010
【図９】
2005224443.tif 000011
【図１０】
2005224443.tif 000012